(57)【要約】      （修正有）【課題】床面に置かれた複数の作業台を相互に連結するため、作業が簡単で強固に連結される装置を得ることにある。【解決手段】間隔を置いて配置された２条の鋼製の平板１５ａを端部の短絡片１５ｂで連結して得られたレール１５と、作業台を構成する管材を挟持するための管材ホルダ２０の少なくとも２個とを有し、それら２個の管材ホルダ２０にそれぞれ一端にハンドル２５ａを取り付けたボルトを、前記２条の鋼製の平板１５ａの間を通して螺合させ、そのハンドル２５ａと管材ホルダ２０との間にレール１５を緊締弛緩可能に挟持したものである。【選択図】図２
2009066674.tif 000002
【特許請求の範囲】
【請求項１】
間隔を置いて配置された２条の鋼製の平板を両端部に配した短絡片によって連結して得られたレールと、作業台を構成する管材を挟持する管材ホルダの少なくとも２個とを有し、それら２個の管材ホルダがそれぞれ前記レールへ締着される平板部と管材を挟持する円弧部とを有する基板と、その基板の円弧部を覆う半円状の鋼板からなる蓋部材とで構成されるとともに、その管材ホルダを握りハンドルを設けた固定ボルトとナットとによって前記レールとともに緊締弛緩可能に挟持してなる作業台の連結装置。
【請求項２】
請求項１において、前記ナットは前記基板に溶着されている作業台の連結装置。
【請求項３】
請求項１において、４個の支脚によって支持した作業板を有する少なくとも２台の作業台を略水平な床面上において所定の角度傾けて略ハ字形に配置する一方、前記作業板から上方へ伸びその上端近傍から作業者方向へ屈曲して伸びる補助管を設け、隣接する２個の補助管に管材ホルダを取り付けてなる作業台の連結装置。
【発明の詳細な説明】
【技術分野】
【０００１】
本発明は、パイプ材を継ぎ手で連結して作った枠体に、作業板を取り付けて構成した作業台の複数台を、相互に連結して作業台の移動を阻止するための、構造が簡単で剛性の高い連結装置に関するものである。
【背景技術】
【０００２】
合成樹脂パイプを組み立てて作った作業台（特許文献１参照）は、軽量なため移動が容易で、かつ優れた作業性が得られるので、電子部品やカメラなど精密部品を組み立てる組立工場で多用されている。
【０００３】
しかしながら、そのような作業台は工場内で使用される際に軽量であることが災いして、移動中の作業者や運搬者が接触して設置した位置がずれてしまったり、転倒したりする不具合がしばしば生じた。
【０００４】
そのような不具合は、作業台を床面に固定すれば回避できないではないが、作業台を床面へ固定すると作業工程や作業量の変更、あるいは大掃除のときに作業台を移動させるのに手間がかかり、かつ、一旦移動させると作業する状態へ復帰させるのが容易でなかった。
【０００５】
もっとも、作業台が複数あるときは、それらを相互に連結すれば作業台が床面上を移動するような不具合は防げるが、工場内を移動する歩行者の通路が阻害されたり、運搬車が引っかかり易くなったりする問題があった。
【特許文献１】特開２００３−１７０３７３号公報
【発明の開示】
【発明が解決しようとする課題】
【０００６】
解決しようとする問題点は、隣接する作業台を相互に連結するための連結装置として、作業台へ簡単な操作で着脱できる構造を有すること。小規模地震で倒れない程度の結合強度があること。工場内を移動する人の邪魔にならないこと。などである。
【課題を解決するための手段】
【０００７】
本発明は、間隔を置いて配置された２条の鋼製の平板を両端部に配した短絡片によって連結して得られたレールと、作業台を構成する管材を挟持する管材ホルダの少なくとも２個とを有し、それら２個の管材ホルダがそれぞれ前記レールへ締着される平板部と管材を挟持する円弧部とを有する基板と、その基板の円弧部を覆う半円状の鋼板からなる蓋部材とで構成されるとともに、その管材ホルダを握りハンドルを設けた固定ボルトとナットとによって前記レールとともに緊締弛緩可能に挟持することを最も主要な特徴とする。
【発明の効果】
【０００８】
本発明に係る作業台の連結装置によれば、本発明装置によって連結されるべき２台の作業台の相互の位置や角度が一定していなくても、簡単な作業によって確実に連結することができる。
【０００９】
また、レールと管材ホルダを含む最少の部品で構成されているから廉価に製造できる上に、運搬や設置が容易である。さらに、連結作業に際して作業台に孔を開けたり溶接したりする手間が不要であって迅速な設置工事が可能であるという利点がある。
【実施例１】
【００１０】
以下、本発明の一実施例を図面によって説明する。図中、１０は作業台の連結装置である。連結装置１０は図１で示すように、床面上に所定の角度をもって配置された２個の作業台１２、１２を連結するのに用いられている。
【００１１】
作業台１２は市販の管材である合成樹脂製のパイプの多数を、同じく市販のパイプ継ぎ手によって連結し組み立てられたものであって、作業者側となる前側の前側支脚１２ｃと、先方の後側支脚１２ｄとの、４個の支脚によって支えられた長方形の板材からなる作業板１２ｅを有する。１２ｆは前記作業板１２ｅの角度を調節するための角度調節手段である。
【００１２】
作業台１２の前記後側支脚１２ｄは、前側支脚１２ｃより長い材料が使用されており、作業板１２ｅの後部を支持するとともに上方へ伸び、その上端付近でさらに作業者側へ屈曲させた補助部１２ｊを有し、その補助部１２ｊに作業者の手元を照らす照明用の蛍光灯１２ｋを支持させてある。なお、作業台自体については既に市販され公知公用の状態にあるので、本願発明と直接的な関係を有しない部材については詳細な説明を省略する。
【００１３】
前記連結装置１０は図２で示すように、間隔を置いて配置された２条の鋼製の平板１５ａ、１５ａを、それらの両端部を短絡片１５ｂ、１５ｂで連結して得られたレール１５と、作業台１２を構成する管材を挟持するため、そのレール１５に取り付けられる管材ホルダ２０の少なくとも２個とを有する。なお、レール１５は硬質の鋼板にユニクロメッキを施し、あるいは不錆性のステンレス材が使用される。
【００１４】
それら２個の管材ホルダ２０、２０の要部は、図３で示すように、固定ボルト２５によって滑りワッシャ２６を介してレール１５へ締着される基板２１と、その基板２１の一部を覆って取り付けられる半円状の蓋部材２２からなっている。
【００１５】
前記基板２１は略短冊状をした鋼板からなる一端の平面部２１aと、その平面部２１aから上方へ湾曲させた他端の円弧部２１ｂを立ち上がらせ、その屈曲端に凹凸結合のための凹凸部２１ｃを形成する一方で、前記平面部２１aにねじ孔を設けた溶接ナット２１ｄを溶接してある。他方、円弧部２１ｂの内面を後述する蓋部材２２で覆ってあり、それらの内面に前記補助部１２ｊを挟持する空間が形成されている。
【００１６】
前記蓋部材２２は短冊状をした基板２１と同じ幅の鋼板で作られており、その鋼板の一端を円弧状に屈曲させて円弧部２２ａを設け、その円弧部２２ａの一端に前記凹凸部２１ｃと係脱可能に係合する他の凹凸部２２ｂが設けてある。また、円弧部２２ａの他端から円弧の外方へむけて平板部２２ｃが形成され、その平板部２２ｃには前記溶接ナット２１ｄへ螺合させる六角孔付きボルト２３のためのねじ孔が設けられている。
【００１７】
よって、両者２１，２２を結合させれば、内面に作業台をなす合成樹脂製のパイプを挟持する円形の内面２０ａが形成され、両者を分離させることによってパイプ（補助部１２ｊ）を組み付け、あるいは取り外しすることができる。
【００１８】
かくて、管材ホルダ２０のそれぞれは、一端に握りハンドル２５ａを取り付けた固定ボルト２５を、滑りワッシャ２６に設けた円形の通し孔と前記２条の鋼製の平板１５ａ、１５ａの間を通して、他側に配置した六角ナット２７へ螺合させてあるから、握りハンドル２５ａを緩めることによって、前記管材ホルダ２０はレール１５上を摺動ならびに回動が可能となり、締めることによって不動とされる。
【００１９】
連結装置１０は、以上のように構成されているので、まず、一方の管材ホルダ２０の握りハンドル２５ａをゆるめて自由に回動できる状態にしてから、管材ホルダ２０の一方の六角孔付きボルト２３をゆるめ、蓋部材２２と基板２１との凹凸係合を外して、隣接して設けた２台の作業台１２のうちの一方の後側支脚１２ｄの補助部１２ｊを挟み、蓋部材２２を元に戻して六角孔付きボルト２３を締めることによって、前記後側支脚１２ｄの補助部１２ｊを管材ホルダ２０に保持させることができる。
【００２０】
次いで、管材ホルダ２０の残る一個を同様にして、隣接する他の作業台１２の後側支脚１２ｄへ固着し、前記握りハンドル２５ａの２個を締めることによって、レール１５を介して２台の作業台１２の関係位置が固定されるから、特殊な工具を必要とせずに連結作業を行うことができ、作業が容易である。
【００２１】
なお、連結装置１０によって連結されるべき２台の作業台１２、１２を、図１で示すように、床面上で所定の角度をもって略ハ字形に配置して連結すれば、それらが作業者や運搬車の接触によって倒れることがなくなり、工場内の安全性が増す。
【００２２】
また、連結装置１０を前記作業台１２の補助部１２ｊのような高い位置で使用すれば、２台の作業台１２の間を作業者が通る場合にも、レール１５が邪魔にならなくなる。
【図面の簡単な説明】
【００２３】
【図１】本願発明の一実施方法を示した装置の外観図である。
【図２】図１中の矢視ＩＩ図である。
【図３】ホルダの部分破断側面図である。
【図４】図３中の矢視ＩＶ図である。
【符号の説明】
【００２４】
１０  作業台の連結装置
１２    作業台
１２ｃ    前側支脚
１２ｄ    後側支脚
１２ｅ    作業板
１２ｆ    角度調節手段
１２ｊ    補助部
１２ｋ    蛍光灯
１５    レール
１５ａ    平板
１５ｂ    短絡片
２０    管材ホルダ
２０ａ    内面
２１    基板
２１a    平面部
２１ｂ    円弧部
２１ｃ    凹凸部
２１ｄ    溶接ナット
２２    蓋部材
２２a    円弧部
２２ｂ    他の凹凸部
２２ｃ    平板部
２３    六角孔付きボルト
２５    固定ボルト
２５ａ    握りハンドル
２６    滑りワッシャ
２７    六角ナット
【図１】
2009066674.tif 000003
【図２】
2009066674.tif 000004
【図３】
2009066674.tif 000005
【図４】
2009066674.tif 000006